(57)【要約】      （修正有）【課題】自らの上に載置された食品又は飲料の品質や鮮度が電子レンジの加温作用により劣化してしまうことを防止し、当該食品又は飲料をより美味しく且つ健康に適したものとすることができる電子レンジ用プレートを提供する。【解決手段】自らの上面に食品又は飲料を載置可能に形成され、テラヘルツ波その他の電磁波を透過可能なセラミック又はプラスチック材料で形成されたプレート本体１と、前記プレート本体の下面の所定領域に形成された活性化層２であって、シリカ粉体及びラジウム粉体を含有する物質から成る薄膜状の活性化層２とを含む電子レンジ用プレートである。また、前記プレート本体は磁器又は陶器製であり、前記プレート本体の下面には前記活性化層が形成された領域の外側に、磁器又は陶器としての製造番号を表示する製造番号表示領域４が形成されていることが望ましい。【選択図】図１
0003191581.tif 000002
【実用新案登録請求の範囲】
【請求項１】
自らの上面に食品又は飲料を載置可能に形成され、テラヘルツ波その他の電磁波を透過可能なセラミック又はプラスチック材料で形成されたプレート本体と、
前記プレート本体の下面の所定領域に形成された活性化層であって、シリカ粉体及びラジウム粉体を含有する物質から成る薄膜状の活性化層と、
を含むことを特徴とする電子レンジ用プレート。
【請求項２】
前記プレート本体は磁器又は陶器製であり、前記プレート本体の下面には前記活性化層が形成された領域の外側に、磁器又は陶器としての製造番号を表示する製造番号表示領域が形成されている、ことを特徴とする電子レンジ用プレート。
【考案の詳細な説明】
【技術分野】
【０００１】
本考案は電子レンジの加温対象となる食品又は飲料を載置するのに適した電子レンジ用プレートであって、電子レンジで加温される食品又は飲料の品質劣化を防ぎ当該食品等をより美味しく且つ健康に適したものとすることができる電子レンジ用プレートに関する。
【背景技術】
【０００２】
従来より、電子レンジ用プレートとして様々なプレートが提案されている。例えば特許文献１は食品又は飲料を載せたまま電子レンジで加温したり冷蔵庫で冷凍したりすることができるプレートを提案している。また特許文献２は電子レンジによる加温時にプレートの端に位置された食品を中央側に振動等で移動させることができるプレートを提案している。
【先行技術文献】
【特許文献】
【０００３】
【特許文献１】特開２００３−２６５３０９号公報
【特許文献２】特開平９−３１８０７０号公報
【考案の概要】
【考案が解決しようとする課題】
【０００４】
しかしながら、従来の電子レンジ用プレートの分野においては、自らの上に載置された食品又は飲料の品質や鮮度が電子レンジの加温作用により劣化してしまうことを防止し、当該食品又は飲料をよりマイルドで美味しいものとし且つ健康に適したものとする機能を電子レンジ用プレートに付与することは、全く発想されていなかった。
【０００５】
本考案はこのような従来技術の課題に着目してなされたものであって、自らの上に載置された食品又は飲料の品質や鮮度が電子レンジの加温作用により劣化してしまうことを防止し、当該食品又は飲料をより美味しく且つ健康に適したものとすることができる電子レンジ用プレートを提供することを目的とする。
【課題を解決するための手段】
【０００６】
このような課題を解決するための本考案による電子レンジ用プレートは、自らの上面に食品又は飲料を載置可能に形成され、テラヘルツ波その他の電磁波を透過可能なセラミック又はプラスチック材料で形成されたプレート本体と、前記プレート本体の下面の略中央を含む所定領域に形成された活性化層であって、シリカ粉体及びラジウム粉体を含有する物質から成る薄膜状の活性化層とを含むことを特徴とするものである。
【０００７】
また本考案による電子レンジ用プレートにおいては、前記プレート本体は磁器又は陶器製であり、前記プレート本体の下面には前記活性化層が形成された領域の外側に、磁器又は陶器としての製造番号を表示する製造番号表示領域が形成されていることが望ましい。
【考案の効果】
【０００８】
本考案においては、前述のように、プレート本体の下面の所定領域にシリカ粉体及びラジウム粉体を含有する物質から成る薄膜状の活性化層が形成されている。よって、本考案においては、前記のシリカ粉体及びラジウム粉体などから成る活性化層から発せられるテラヘルツ波などの電磁波が、前記セラミック材料で形成されたプレート本体を容易に透過し、さらに前記プレート本体上面の食品又は飲料に容易に到達し、前記食品又は飲料に対して、その中の水分子クラスターを分解等するので、当該食品又は飲料中の成分の品質や鮮度が電子レンジの加熱作用により劣化してしまうことが防止され、当該食品又は飲料の品質がより高く保たれるようになる。よって、本考案によれば、弁当、料理、野菜、果物、肉類、牛乳、卵などの様々な食品又は飲料（容器に入れられた飲料）を、前記プレート本体の上面に載置するだけで、その上に載置された食品又は飲料の品質や鮮度が電子レンジの加温作用により劣化してしまうことを防止し、当該食品又は飲料をよりマイルドで美味しいものとし、且つ当該食品又は飲料の成分をより健康に適したものとすることができるようになる。
【０００９】
また、本考案においては、磁器又は陶器製のプレート本体の下面に形成された前記活性化層の領域の外側に、磁器又は陶器としての製造番号を表示する製造番号表示領域を形成するようにしたときは、ユーザーは当該製造番号表示領域中の製造番号を視認するだけで、当該電子レンジ用プレートが前述のようなテラヘルツ波などの電磁波を常に発する活性化層が適正に形成されて成るプレートであることを、容易に確認できるようになる。
【図面の簡単な説明】
【００１０】
【図１】本考案の一実施形態による電子レンジ用プレートの下面側を示す斜視図である。
【図２】本実施形態による電子レンジ用プレートの上面側を示す斜視図である。
【図３】本実施形態による電子レンジ用プレートの製造番号領域などを説明するための斜視図である。
【図４】本実施形態による電子レンジ用プレートの中央断面図である。
【考案を実施するための形態】
【００１１】
以下、本考案を実施するための形態を図面を参照して説明する。図１は本考案の一実施形態による電子レンジ用プレートの下面側を示す斜視図、図２は本実施形態による電子レンジ用プレートの上面側を示す斜視図、図３は本実施形態による電子レンジ用プレートの製造番号領域などを説明するための斜視図、図４は本実施形態による電子レンジ用プレートの中央断面図である。図１〜４において、１は例えば有田焼（商標）などの磁器製のプレート本体（皿）、１ａ（図２、図４参照）はその上面、１ｂ（図１、図３、図４参照）はその下面、２は前記プレート本体１の下面１ｂの中央部を含む略円形状の領域に形成された薄膜状の活性化層、３は前記活性化層２の略中央に形成された製造元表示領域であって例えば当該プレート本体１の製造に係る産地等の名称、例えば「有田焼」（商標）などの文字を表示する製造元表示領域、４は前記プレート本体１の下面１ｂの前記活性化層２の外側の位置に形成された製造番号表示領域、５（図２参照）はプレート本体１の上面１ａに表示された絵柄である。
【００１２】
本実施形態において、前記活性化層２は、例えば、シリカ粉末及びラジウム粉末を含有する溶剤又は釉薬を前記プレート本体１下面の所定領域に塗布して焼成すること等により薄膜状に形成される。前記活性化層２の厚さは例えば約０．１〜１ｍｍ程度である。また前記製造元表示領域３及び前記製造番号表示領域４は当該文字又は数字の形状を有する薄膜を当該領域に転写、焼成することなどにより形成される。前記焼成等に関しては公知の方法を利用できるので説明を省略する。
【００１３】
以上のように、本実施形態においては、プレート本体１の下面１ｂにシリカ粉体及びラジウム粉体を含有する物質から成る薄膜状の活性化層２を形成するようにしている。よって、本実施形態においては、前記のシリカ粉体及びラジウム粉体などから成る活性化層２から発せられるテラヘルツ波などの電磁波が、前記磁器製のプレート本体１を容易に透過して前記プレート本体１上面の食品又は飲料に容易に到達し、前記食品又は飲料に対して、その中の水分子クラスターを分解等するようになる。その結果、本実施形態では、当該食品又は飲料中の成分の品質や鮮度が電子レンジの加熱作用により劣化することが有効に防止され、当該食品又は飲料の品質がより高く保たれるようになる。よって、本実施形態によれば、弁当、料理、野菜、果物、肉類、牛乳、卵などの様々な食品又は飲料（容器に入れられた飲料）を前記プレート本体１の上面に載置するだけで、当該食品又は飲料を、電子レンジの加温作用による品質劣化から守り、当該食品又は飲料の味をよりマイルドで美味しいものとし且つ当該食品又は飲料の成分をより健康に適したものとすることができるようになる。
【００１４】
また、本実施形態においては、前記の磁器製のプレート本体１の下面に形成された前記活性化層２の領域の外側に、磁器としての製造番号を表示する製造番号表示領域４を形成するようにしていたので、ユーザーは当該製造番号表示領域４中の製造番号を視認するだけで、当該電子レンジ用プレートが前述のようなテラヘルツ波などの電磁波を常に発する活性化層２が適正に形成されて成るプレートであることを、容易に確認できるようになる。
【００１５】
以上、本考案の各実施形態について説明したが、本考案及び本考案を構成する各構成要件は、それぞれ、前記実施形態に限定されるものではなく、様々な修正及び変更が可能であり、本考案は、添付の実用新案登録請求の範囲及びその均等物の範囲内にある修正及び変形を含むものである。例えば前記実施形態においては、前記プレート本体１を有田焼（商標）などの磁器製としたが、本考案においては磁器製以外のプレート、例えば陶器製その他のセラミックス製のプレート、プラスチック製のプレートなどであってもよい。また前記実施形態においては、前記活性化層２の平面形状を円形状としたが本考案はこれに限られるものではなく、例えば楕円形状、四角形状、星形など様々な形状としてもよいことはもちろんである。
【符号の説明】
【００１６】
１          プレート本体
１ａ      プレート本体の上面
１ｂ      プレート本体の下面
２          活性化層
３          製造元表示領域
４          製造番号表示領域
５          絵柄
【図４】
0003191581.tif 000003
【図１】
0003191581.tif 000004
【図２】
0003191581.tif 000005
【図３】
0003191581.tif 000006
【手続補正書】
【提出日】平成26年4月17日(2014.4.17)
【手続補正１】
【補正対象書類名】実用新案登録請求の範囲
【補正対象項目名】全文
【補正方法】変更
【補正の内容】
【実用新案登録請求の範囲】
【請求項１】
自らの上面に食品又は飲料を載置可能に形成され、テラヘルツ波その他の電磁波を透過可能なセラミック又はプラスチック材料で形成されたプレート本体と、
前記プレート本体の下面の所定領域に形成された活性化層であって、シリカ粉体及びラジウム粉体を含有する物質から成る薄膜状の活性化層と、
を含むことを特徴とする電子レンジ用プレート。
【請求項２】
前記プレート本体は磁器又は陶器製であり、前記プレート本体の下面には前記活性化層が形成された領域の外側に、磁器又は陶器としての製造番号を表示する製造番号表示領域が形成されている、ことを特徴とする請求項１に記載の電子レンジ用プレート。